(57)【要約】【課題】受信していない側のラインから受信している側のラインへの輻射を軽減する。【解決手段】アナログ・デジタル共用チューナ１は、ＲＦ信号をＩＦ信号に周波数変換する混合回路１４と、多層基板の第１層（ここでは、Ａ層５Ａ）に形成され、デジタル放送に対応するＩＦ信号を伝送するデジタル信号ライン１７（図の太線）と、多層基板５において、接地された層であるＧＮＤ層（ここでは、Ｂ層５Ｂ）に対して第１層と離間する側の第２層（ここでは、Ｄ層５Ｄ）に形成され、アナログ放送に対応するＩＦ信号を伝送するアナログ信号ライン１８（図の太線）と、を備えている。【選択図】図１
2008244994.tif 000002
【特許請求の範囲】
【請求項１】
接地された層であるＧＮＤ層を有する多層基板上に形成され、アナログ放送及びデジタル放送を受信可能に構成されたアナログ・デジタル共用チューナであって、
ＲＦ信号をＩＦ信号に周波数変換する混合回路と、
前記多層基板の第１層に形成され、デジタル放送に対応するＩＦ信号を伝送するデジタル信号ラインと、
前記多層基板において前記ＧＮＤ層に対して前記第１層と離間する側の第２層に形成され、アナログ放送に対応するＩＦ信号を伝送するアナログ信号ラインと、
を備えることを特徴とするアナログ・デジタル共用チューナ。
【請求項２】
前記デジタル信号ライン及びアナログ信号ラインの少なくとも一方は、前記混合回路の出力側に近接して形成されたスルーホールを介して、前記混合回路と接続されていることを特徴とする請求項１に記載のアナログ・デジタル共用チューナ。
【請求項３】
アナログ出力として、前記アナログ信号ラインによって伝送されるＩＦ信号を出力し、
デジタル出力として、前記デジタル信号ラインによって伝送されるＩＦ信号を出力することを特徴とする請求項１又は請求項２に記載のアナログ・デジタル共用チューナ。
【請求項４】
前記第２層に形成され、アナログ放送に対応するＩＦ信号を復調し、画像信号及び音声信号を出力するアナログ復調回路を備え、
アナログ出力として、前記アナログ復調回路によって出力される画像信号及び音声信号を出力し、
デジタル出力として、前記デジタル信号ラインによって伝送されるＩＦ信号を出力することを特徴とする請求項１又は請求項２に記載のアナログ・デジタル共用チューナ。
【請求項５】
前記第１層に形成され、デジタル放送に対応するＩＦ信号を復調し、ＴＳ信号を出力するデジタル復調回路を備え、
アナログ出力として、前記アナログ信号ラインによって伝送されるＩＦ信号を出力し、
デジタル出力として、前記デジタル復調回路によって出力されるＴＳ信号を出力することを特徴とする請求項１又は請求項２に記載のアナログ・デジタル共用チューナ。
【請求項６】
前記第２層に形成され、アナログ放送に対応するＩＦ信号を復調し、画像信号及び音声信号を出力するアナログ復調回路と、
前記第１層に形成され、デジタル放送に対応するＩＦ信号を復調し、ＴＳ信号を出力するデジタル復調回路と、
を備え、
アナログ出力として、前記アナログ復調回路によって出力される画像信号及び音声信号を出力し、
デジタル出力として、前記デジタル復調回路によって出力されるＴＳ信号を出力することを特徴とする請求項１又は請求項２に記載のアナログ・デジタル共用チューナ。
【請求項７】
前記第１層に形成され、デジタル放送に対応するＩＦ信号を復調し、ＴＳ信号を出力するデジタル復調回路と、
前記第１層に形成され、前記デジタル復調回路から出力されるＴＳ信号に対してＭＰＥＧ方式のデコード処理を施し、画像信号及び音声信号を出力するＭＰＥＧデコーダと、
を備え、
アナログ出力として、前記アナログ信号ラインによって伝送されるＩＦ信号を出力し、
デジタル出力として、前記ＭＰＥＧデコーダによって出力される画像信号及び音声信号を出力することを特徴とする請求項１又は請求項２に記載のアナログ・デジタル共用チューナ。
【請求項８】
前記第１層に形成され、デジタル放送に対応するＩＦ信号を復調し、ＴＳ信号を出力するデジタル復調回路と、
前記第１層に形成され、前記デジタル復調回路から出力されるＴＳ信号に対してＭＰＥＧ方式のデコード処理を施し、画像信号及び音声信号を出力するＭＰＥＧデコーダと、
前記第２層に形成され、アナログ放送に対応するＩＦ信号を復調し、画像信号及び音声信号を出力するアナログ復調回路と、
を備え、
アナログ出力として、前記アナログ復調回路によって出力される画像信号及び音声信号を出力し、
デジタル出力として、前記ＭＰＥＧデコーダによって出力される画像信号及び音声信号を出力することを特徴とする請求項１又は請求項２に記載のアナログ・デジタル共用チューナ。
【請求項９】
請求項１〜請求項８のいずれかに記載のアナログ・デジタル共用チューナを備え、
前記アナログ・デジタル共用チューナによって受信された映像情報をモニタに表示することを特徴とする放送受信装置。
【発明の詳細な説明】
【技術分野】
【０００１】
本発明は、アナログ放送及びデジタル放送を受信可能に構成されたアナログ・デジタル共用チューナ、及び、アナログ・デジタル共用チューナによって受信された映像情報をモニタに表示するテレビジョン受像装置、セットトップボックス等の放送受信装置に関するものである。
【０００２】
近年、放送のデジタル化が進行し、アナログ放送及びデジタル放送を受信することができるアナログ・デジタル共用チューナの必要性が高まってきている。また、デジタル放送は、従来のアナログ放送と同じチャンネル帯域幅を持つため、信号の受信から中間周波信号（以下、ＩＦ（Ｉｎｔｅｒｍｅｄｉａｔｅ  Ｆｒｅｑｕｅｎｃｙ）信号という）への周波数の変換までを１のチューナで構成することが可能となっており、種々のアナログ・デジタル共用チューナが提案されている（特許文献１参照）。
【特許文献１】特開２００３−２０４２７４号公報
【発明の開示】
【発明が解決しようとする課題】
【０００３】
一方、アナログ・デジタル共用チューナでは、デジタル放送に対応するＩＦ信号を伝送するデジタル信号ライン、及び、アナログ放送に対応するＩＦ信号を伝送するアナログ信号ラインの双方が同一の信号を出力することになるため、一方のラインから出力されたＩＦ信号が他方のラインに輻射され、同一チャンネル妨害（アナログ側の画面ではゴースト等の問題、デジタル側では入力感度の低下）の原因となる。特に、この課題は、アナログ・デジタル共用チューナの小型化に伴い、デジタル信号ラインとアナログ信号ラインとが更に近接するため、より重要な課題となっている。
【０００４】
本発明は、上記課題に鑑みてなされたもので、受信していない側のラインから受信している側のラインへの輻射を軽減するアナログ・デジタル共用チューナ及び放送受信装置を提供することを目的としている。
【課題を解決するための手段】
【０００５】
上記目的を達成すべく、請求項１に記載のアナログ・デジタル共用チューナは、接地された層であるＧＮＤ層を有する多層基板上に形成され、アナログ放送及びデジタル放送を受信可能に構成されたアナログ・デジタル共用チューナであって、ＲＦ信号をＩＦ信号に周波数変換する混合回路と、前記多層基板の第１層に形成され、デジタル放送に対応するＩＦ信号を伝送するデジタル信号ラインと、前記多層基板において前記ＧＮＤ層に対して前記第１層と離間する側の第２層に形成され、アナログ放送に対応するＩＦ信号を伝送するアナログ信号ラインと、を備えることを特徴としている。
【０００６】
請求項２に記載のアナログ・デジタル共用チューナは、請求項１に記載のアナログ・デジタル共用チューナであって、前記デジタル信号ライン及びアナログ信号ラインの少なくとも一方が、前記混合回路の出力側に近接して形成されたスルーホールを介して、前記混合回路と接続されていることを特徴としている。
【０００７】
請求項３に記載のアナログ・デジタル共用チューナは、請求項１又は請求項２に記載のアナログ・デジタル共用チューナであって、アナログ出力として、前記アナログ信号ラインによって伝送されるＩＦ信号を出力し、デジタル出力として、前記デジタル信号ラインによって伝送されるＩＦ信号を出力することを特徴としている。
【０００８】
請求項４に記載のアナログ・デジタル共用チューナは、請求項１又は請求項２に記載のアナログ・デジタル共用チューナであって、前記第２層に形成され、アナログ放送に対応するＩＦ信号を復調し、画像信号及び音声信号を出力するアナログ復調回路を備え、アナログ出力として、前記アナログ復調回路によって出力される画像信号及び音声信号を出力し、デジタル出力として、前記デジタル信号ラインによって伝送されるＩＦ信号を出力することを特徴としている。
【０００９】
請求項５に記載のアナログ・デジタル共用チューナは、請求項１又は請求項２に記載のアナログ・デジタル共用チューナであって、前記第１層に形成され、デジタル放送に対応するＩＦ信号を復調し、ＴＳ信号を出力するデジタル復調回路を備え、アナログ出力として、前記アナログ信号ラインによって伝送されるＩＦ信号を出力し、デジタル出力として、前記デジタル復調回路によって出力されるＴＳ信号を出力することを特徴としている。
【００１０】
請求項６に記載のアナログ・デジタル共用チューナは、請求項１又は請求項２に記載のアナログ・デジタル共用チューナであって、前記第２層に形成され、アナログ放送に対応するＩＦ信号を復調し、画像信号及び音声信号を出力するアナログ復調回路と、前記第１層に形成され、デジタル放送に対応するＩＦ信号を復調し、ＴＳ信号を出力するデジタル復調回路と、を備え、アナログ出力として、前記アナログ復調回路によって出力される画像信号及び音声信号を出力し、デジタル出力として、前記デジタル復調回路によって出力されるＴＳ信号を出力することを特徴としている。
【００１１】
請求項７に記載のアナログ・デジタル共用チューナは、請求項１又は請求項２に記載のアナログ・デジタル共用チューナであって、前記第１層に形成され、デジタル放送に対応するＩＦ信号を復調し、ＴＳ信号を出力するデジタル復調回路と、前記第１層に形成され、前記デジタル復調回路から出力されるＴＳ信号に対してＭＰＥＧ方式のデコード処理を施し、画像信号及び音声信号を出力するＭＰＥＧデコーダと、を備え、アナログ出力として、前記アナログ信号ラインによって伝送されるＩＦ信号を出力し、デジタル出力として、前記ＭＰＥＧデコーダによって出力される画像信号及び音声信号を出力することを特徴としている。
【００１２】
請求項８に記載のアナログ・デジタル共用チューナは、請求項１又は請求項２に記載のアナログ・デジタル共用チューナであって、前記第１層に形成され、デジタル放送に対応するＩＦ信号を復調し、ＴＳ信号を出力するデジタル復調回路と、前記第１層に形成され、前記デジタル復調回路から出力されるＴＳ信号に対してＭＰＥＧ方式のデコード処理を施し、画像信号及び音声信号を出力するＭＰＥＧデコーダと、前記第２層に形成され、アナログ放送に対応するＩＦ信号を復調し、画像信号及び音声信号を出力するアナログ復調回路と、を備え、アナログ出力として、前記アナログ復調回路によって出力される画像信号及び音声信号を出力し、デジタル出力として、前記ＭＰＥＧデコーダによって出力される画像信号及び音声信号を出力することを特徴としている。
【００１３】
請求項９に記載の放送受信装置は、請求項１〜請求項８のいずれかに記載のアナログ・デジタル共用チューナを備え、前記アナログ・デジタル共用チューナによって受信された映像情報をモニタに表示することを特徴としている。
【発明の効果】
【００１４】
請求項１に記載のアナログ・デジタル共用チューナによれば、混合回路によって、ＲＦ信号がＩＦ信号に周波数変換され、多層基板の第１層に形成されたデジタル信号ラインによって、デジタル放送に対応するＩＦ信号が伝送され、多層基板において、接地された層であるＧＮＤ層に対して第１層と離間する側の第２層に形成されたアナログ信号ラインによって、アナログ放送に対応するＩＦ信号が伝送されるため、受信していない側のラインから受信している側のラインへの輻射を軽減することができる。
【００１５】
すなわち、デジタル信号ラインとアナログ信号ラインとの間にＧＮＤ層が形成されているため、ＧＮＤ層によって輻射が遮蔽されるので、受信していない側のラインから受信している側のラインへの輻射を軽減することができるのである。
【００１６】
請求項２に記載のアナログ・デジタル共用チューナによれば、デジタル信号ライン及びアナログ信号ラインの少なくとも一方が、混合回路の出力側に近接して形成されたスルーホールを介して、混合回路と接続されているため、受信していない側のラインから受信している側のラインへの輻射を更に軽減することができる。
【００１７】
すなわち、デジタル信号ライン及びアナログ信号ラインの少なくとも一方が、混合回路の出力側に近接して形成されたスルーホールを介して、混合回路と接続されているため、混合回路からスルーホールまでのラインを除き、ＧＮＤ層によって輻射が遮蔽されるので、受信していない側のラインから受信している側のラインへの輻射を更に軽減することができるのである。つまり、混合回路の出力側とスルーホールとの距離を短くすることによって、ＧＮＤ層によっても輻射が遮蔽されないラインの範囲を可及的に短くすることができるので、受信していない側のラインから受信している側のラインへの輻射を更に軽減することができるのである。
【００１８】
請求項３に記載のアナログ・デジタル共用チューナによれば、アナログ出力として、アナログ信号ラインによって伝送されるＩＦ信号が出力され、デジタル出力として、デジタル信号ラインによって伝送されるＩＦ信号が出力されるため、アナログ放送及びデジタル放送に対応するＩＦ信号を出力することができる。
【００１９】
請求項４に記載のアナログ・デジタル共用チューナによれば、第２層に形成されたアナログ復調回路によって、アナログ放送に対応するＩＦ信号が復調されて、画像信号及び音声信号が出力される。そして、アナログ出力として、アナログ復調回路によって出力される画像信号及び音声信号が出力され、デジタル出力として、デジタル信号ラインによって伝送されるＩＦ信号が出力されるため、アナログ放送に対応する画像信号、音声信号、及び、デジタル放送に対応するＩＦ信号を出力することができる。
【００２０】
請求項５に記載のアナログ・デジタル共用チューナによれば、第１層に形成されたデジタル復調回路によって、デジタル放送に対応するＩＦ信号が復調されて、ＴＳ信号が出力される。そして、アナログ出力として、アナログ信号ラインによって伝送されるＩＦ信号が出力され、デジタル出力として、デジタル復調回路によって出力されるＴＳ信号が出力されるため、アナログ放送に対応するＩＦ信号、及び、デジタル放送に対応するＴＳ信号を出力することができる。
【００２１】
請求項６に記載のアナログ・デジタル共用チューナによれば、第２層に形成されたアナログ復調回路によって、アナログ放送に対応するＩＦ信号が復調されて、画像信号及び音声信号が出力され、第１層に形成されたデジタル復調回路によって、デジタル放送に対応するＩＦ信号が復調されて、ＴＳ信号が出力される。そして、アナログ出力として、前記アナログ復調回路によって出力される画像信号及び音声信号が出力され、デジタル出力として、デジタル復調回路によって出力されるＴＳ信号が出力されるため、アナログ放送に対応する画像信号、音声信号、及び、デジタル放送に対応するＴＳ信号を出力することができる。
【００２２】
請求項７に記載のアナログ・デジタル共用チューナによれば、第１層に形成されたデジタル復調回路によって、デジタル放送に対応するＩＦ信号が復調されて、ＴＳ信号が出力され、第１層に形成されたＭＰＥＧデコーダによって、デジタル復調回路から出力されるＴＳ信号に対してＭＰＥＧ方式のデコード処理が施されて、画像信号及び音声信号が出力される。そして、アナログ出力として、アナログ信号ラインによって伝送されるＩＦ信号が出力され、デジタル出力として、ＭＰＥＧデコーダによって出力される画像信号及び音声信号が出力されるため、アナログ放送に対応するＩＦ信号、及び、デジタル放送に対応する画像信号、音声信号を出力することができる。
【００２３】
請求項８に記載のアナログ・デジタル共用チューナによれば、第１層に形成されたデジタル復調回路によって、デジタル放送に対応するＩＦ信号が復調されて、ＴＳ信号が出力され、第１層に形成されたＭＰＥＧデコーダによって、デジタル復調回路から出力されるＴＳ信号に対してＭＰＥＧ方式のデコード処理が施されて、画像信号及び音声信号が出力される。また、第２層に形成されたアナログ復調回路によって、アナログ放送に対応するＩＦ信号が復調されて、画像信号及び音声信号が出力される。そして、アナログ出力として、アナログ復調回路によって出力される画像信号及び音声信号が出力され、デジタル出力として、ＭＰＥＧデコーダによって出力される画像信号及び音声信号が出力されるため、アナログ放送に対応する画像信号、音声信号、及び、デジタル放送に対応する画像信号、音声信号を出力することができる。
【００２４】
請求項９に記載の放送受信装置によれば、請求項１〜請求項８のいずれかに記載のアナログ・デジタル共用チューナによって受信された映像情報がモニタに表示されるため、受信していない側のラインから受信している側のラインへの輻射を軽減することが可能な放送受信装置を実現することができる。
【発明を実施するための最良の形態】
【００２５】
以下、本発明に係るアナログ・デジタル共用チューナについて図面を用いて説明する。まず、アナログ・デジタル共用チューナの回路構成の一例を説明する。図１（ａ）は、アナログ・デジタル共用チューナ１の回路構成の一例を示す回路図である。アナログ・デジタル共用チューナ１は、ＲＦ（Ｒａｄｉｏ  Ｆｒｅｑｕｅｎｃｙ）信号入力端子１１、アッテネータ（ａｔｔｅｎｕａｔｅｒ：以下、「ＡＴＴ」という）１２、ＲＦ利得制御回路１３、混合回路１４、局部発振回路１５、及び、ＩＦ利得制御回路１６を備えている。これらは、ＲＦ信号を受け付けて、適正な大きさのＩＦ信号に変換する処理を行うものである。
【００２６】
また、デジタル・アナログ共用チューナ１は、バンドパスフィルタ２１、２２、２３、２４を備えている。バンドパスフィルタ２１、２２、２３、２４は、ＲＦ信号（又はＩＦ信号）に重畳されたノイズ成分を除去するため、所定の帯域のみを通過させる信号フィルタである。更に、デジタル・アナログ共用チューナ１は、増幅回路３１、３２、３３を備えている。増幅回路３１、３２、３３は、ＲＦ信号（又はＩＦ信号）を増幅するものである。
【００２７】
ＲＦ信号入力端子１１は、ＲＦ信号を受け付ける端子である。ＡＴＴ１２及びＲＦ利得制御回路１３は、ＲＦ信号入力端子１１によって受け付けられたＲＦ信号を所定の信号レベルに制御する回路である。混合回路（＝ｍｉｘｅｒ）１４は、ＲＦ信号を局部発振回路１５から出力される局部発振信号とミキシングしてＩＦ信号に周波数変換するものである。局部発振回路１５は、図略のＰＬＬ回路等により制御されて局部発振信号を混合回路１４へ出力するものである。
【００２８】
また、デジタル・アナログ共用チューナ１は、アナログＩＦ出力端子１７１及びデジタルＩＦ出力端子１８１を備えている。アナログＩＦ出力端子１７１は、増幅回路３２の出力端子として、アナログ放送に対応するＩＦ信号を出力するものである。デジタルＩＦ出力端子１８１は、ＩＦ利得制御回路１６の出力端子として、デジタル放送に対応するＩＦ信号を出力するものである。
【００２９】
次に、デジタル・アナログ共用チューナ１の動作について説明する。デジタル・アナログ共用チューナ１においては、ＲＦ信号入力端子１１に入力され、バンドパスフィルタ２１、２２、２３により帯域フィルタリングされたＲＦ信号は、増幅回路３１及びＲＦ利得制御回路１３によって所定の信号レベルに制御される。そして、ＲＦ信号は、混合回路１４によって、局部発振回路１５から出力された局部発振信号とミキシングされ、ＩＦ信号に変換される。
【００３０】
そして、アナログ放送が受信されているときは、ＩＦ信号（＝アナログＩＦ信号）は、増幅回路３１によって増幅されアナログＩＦ出力端子１７１から出力される。一方、デジタル放送が受信されているときは、ＩＦ信号（＝デジタルＩＦ信号）は、バンドパスフィルタ２４によって帯域フィルタリングされ、ＩＦ利得制御回路１６により適正な大きさのＩＦ信号に変換され、デジタルＩＦ出力端子１８１から出力される。
【００３１】
なお、デジタル・アナログ共用チューナ１において、アナログＩＦ信号が伝送されるアナログ信号ライン１７は、図の太線で示す、混合回路１４の出力側からアナログＩＦ出力端子１７１までの間に相当し、デジタルＩＦ信号が伝送されるデジタル信号ライン１８は、図の太線で示す、混合回路１４の出力側からデジタルＩＦ出力端子１８１までの間に相当する。
【００３２】
図７は、従来のアナログ・デジタル共用チューナの構成を示す構成図（基板の上面図）である。従来のアナログ・デジタル共用チューナ１ｆは、基板の上面に、図１に示すＡＴＴ１２、ＲＦ利得制御回路１３、混合回路１４、局部発振回路１５、及び、ＩＦ利得制御回路１６としてそれぞれ機能する回路１３ｆ〜１６ｆが形成されると共に、図１に示すバンドパスフィルタ２１、２２、２３、２４、及び、増幅回路３１、３２、３３としてそれぞれ機能する回路２１ｆ〜２３ｆ及び回路３１ｆ〜３３ｆが形成されたものである。
【００３３】
図の太線で示すアナログ信号ライン１７ｆとデジタル信号ライン１８ｆとが近接しているため、一方のラインから出力されたＩＦ信号が他方のラインに輻射され、同一チャンネル妨害（アナログ側の画面ではゴースト等の問題、デジタル側では入力感度の低下）の原因となっていた。
【００３４】
図１（ｂ）は、本発明に係るアナログ・デジタル共用チューナが形成される基板５の構成の一例を示す断面図である。基板５は、上面側から順にＡ層５Ａ、Ｂ層５Ｂ、Ｃ層５Ｃ、及びＤ層が形成された多層基板（ここでは、４層基板）である。ここでは、Ｂ層５Ｂは、接地された層であるＧＮＤ層である。また、基板５の適所（ここでは、混合回路１５の出力側）には、スルーホール５１が形成されている。また、アナログ・デジタル共用チューナ１は、Ａ層５Ａ（第１層に相当する）及びＤ層５Ｄ（第２層に相当する）に分割して形成されており、スルーホール５１を介して接続されている。
【００３５】
＜第１実施形態＞
図２は、本発明の第１実施形態に係るアナログ・デジタル共用チューナ１ａの一例を示す構成図（基板の上面図及び下面図）である。（ａ）は、図１（ｂ）に示す基板５のＡ層５Ａに対応するアナログ・デジタル共用チューナ１ａの上面図であり、（ｂ）は、図１（ｂ）に示す基板５のＤ層５Ｄに対応するアナログ・デジタル共用チューナ１ａの下面図である。
【００３６】
アナログ・デジタル共用チューナ１ａは、（ａ）に示すように、基板５のＡ層５Ａに、図１に示すＡＴＴ１２、ＲＦ利得制御回路１３、混合回路１４、局部発振回路１５、及び、ＩＦ利得制御回路１６としてそれぞれ機能する回路１３ａ〜１６ａが形成されると共に、図１に示すバンドパスフィルタ２１、２２、２３、２４、及び、増幅回路３１、３３としてそれぞれ機能する回路２１ａ〜２３ａ及び回路３１ａ、３３ａが形成され、デジタルＩＦ出力端子１８１ａが形成されたものである。
【００３７】
また、アナログ・デジタル共用チューナ１ａは、（ｂ）に示すように、基板５のＤ層５Ｄに、図１に示す増幅回路３２として機能する回路３２ａが形成され、アナログＩＦ出力端子１７１ａが形成されたものである。更に、混合回路１４として機能する回路１４ａの出力側（ここでは、下側）には、スルーホール５１ａが形成されており、増幅回路３２として機能する回路３２ａは、スルーホール５１ａを介して混合回路１４として機能する回路１４ａと接続されている。
【００３８】
すなわち、図の太線で示すアナログ信号ライン１７ａとデジタル信号ライン１８ａとは、混合回路１４として機能する回路１４ａからスルーホール５１ａまでの間を除き、図１（ｂ）に示すＧＮＤ層であるＢ層５Ｂによって輻射が遮蔽されるので、受信していない側のラインから受信している側のラインへの輻射を更に軽減することができるのである。つまり、混合回路１４として機能する回路１４ａの出力側とスルーホール５１ａとの距離を短くすることによって、ＧＮＤ層であるＢ層５Ｂによっても輻射が遮蔽されないラインの範囲を可及的に短くすることができるので、受信していない側のラインから受信している側のラインへの輻射を更に軽減することができるのである。
【００３９】
また、アナログ・デジタル共用チューナ１ａでは、アナログＩＦ出力端子１７１ａ及びデジタルＩＦ出力端子１８１ａによって、アナログ放送及びデジタル放送に対応するＩＦ信号を出力することができる。
【００４０】
＜第２実施形態＞
図３は、本発明の第２実施形態に係るアナログ・デジタル共用チューナ１ｂの一例を示す構成図（基板の上面図及び下面図）である。（ａ）は、図１（ｂ）に示す基板５のＡ層５Ａに対応するアナログ・デジタル共用チューナ１ｂの上面図であり、（ｂ）は、図１（ｂ）に示す基板５のＤ層５Ｄに対応するアナログ・デジタル共用チューナ１ｂの下面図である。
【００４１】
アナログ・デジタル共用チューナ１ｂは、（ａ）に示すように、基板５のＡ層５Ａに、図１に示すＡＴＴ１２、ＲＦ利得制御回路１３、混合回路１４、局部発振回路１５、及び、ＩＦ利得制御回路１６としてそれぞれ機能する回路１３ｂ〜１６ｂが形成されると共に、図１に示すバンドパスフィルタ２１、２２、２３、２４、及び、増幅回路３１、３３としてそれぞれ機能する回路２１ｂ〜２３ｂ及び回路３１ｂ、３３ｂが形成され、デジタルＩＦ出力端子１８１ｂが形成されたものである。
【００４２】
また、アナログ・デジタル共用チューナ１ａは、（ｂ）に示すように、基板５のＤ層５Ｄに、図１に示す増幅回路３２として機能する回路３２ｂが形成され、更に、アナログ復調回路４１ｂが形成され、ビデオ（ＶＩＤＥＯ）出力端子１７１ｂが形成されたものである。アナログ復調回路４１ｂは、混合回路１４として機能する回路１４ｂから出力されるアナログ放送に対応するＩＦ信号を復調し、画像信号及び音声信号を出力するものである。ビデオ出力端子１７１ｂは、アナログ復調回路４１ｂによって出力される画像信号及び音声信号を出力するものである。また、混合回路１４として機能する回路１４ｂの出力側（ここでは、下側）には、スルーホール５１ｂが形成されており、増幅回路３２として機能する回路３２ｂは、スルーホール５１ｂを介して混合回路１４として機能する回路１４ａと接続されている。
【００４３】
すなわち、図の太線で示すアナログ信号ライン１７ｂとデジタル信号ライン１８ｂとは、混合回路１４として機能する回路１４ｂからスルーホール５１ｂまでの間を除き、図１（ｂ）に示すＧＮＤ層であるＢ層５Ｂによって輻射が遮蔽されるので、受信していない側のラインから受信している側のラインへの輻射を更に軽減することができるのである。つまり、混合回路１４として機能する回路１４ｂの出力側とスルーホール５１ｂとの距離を短くすることによって、ＧＮＤ層であるＢ層５Ｂによっても輻射が遮蔽されないラインの範囲を可及的に短くすることができるので、受信していない側のラインから受信している側のラインへの輻射を更に軽減することができるのである。
【００４４】
また、アナログ・デジタル共用チューナ１ｂでは、ビデオ出力端子１７１ｂ及びデジタルＩＦ出力端子１８１ｂによって、アナログ放送に対応する画像信号、音声信号、及び、デジタル放送に対応するＩＦ信号を出力することができる。
【００４５】
＜第３実施形態＞
図４は、本発明の第３実施形態に係るアナログ・デジタル共用チューナ１ｃの一例を示す構成図（基板の上面図及び下面図）である。（ａ）は、図１（ｂ）に示す基板５のＡ層５Ａに対応するアナログ・デジタル共用チューナ１ｃの上面図であり、（ｂ）は、図１（ｂ）に示す基板５のＤ層５Ｄに対応するアナログ・デジタル共用チューナ１ｃの下面図である。
【００４６】
アナログ・デジタル共用チューナ１ｃは、（ａ）に示すように、基板５のＡ層５Ａに、図１に示すＡＴＴ１２、ＲＦ利得制御回路１３、混合回路１４、局部発振回路１５、及び、ＩＦ利得制御回路１６としてそれぞれ機能する回路１３ｃ〜１６ｃが形成されると共に、図１に示すバンドパスフィルタ２１、２２、２３、２４、及び、増幅回路３１、３３としてそれぞれ機能する回路２１ｃ〜２３ｃ及び回路３１ｃ、３３ｃが形成され、更に、デジタル復調回路４２ｃが形成され、ＴＳ出力端子１８１ｃが形成されたものである。デジタル復調回路４２ｃは、混合回路１４として機能する回路１４ｃから出力されるデジタル放送に対応するＩＦ信号を復調し、ＴＳ（Ｔｒａｎｓｐｏｒｔ  Ｓｔｒｅａｍ）信号を出力するものである。ＴＳ信号出力端子１８１ｃは、デジタル復調回路４２ｃによって出力されるＴＳ信号を出力するものである。
【００４７】
また、アナログ・デジタル共用チューナ１ｃは、（ｂ）に示すように、基板５のＤ層５Ｄに、図１に示す増幅回路３２として機能する回路３２ｂが形成され、アナログＩＦ出力端子１７１ｃが形成されたものである。更に、混合回路１４として機能する回路１４ｃの出力側（ここでは、下側）には、スルーホール５１ｃが形成されており、増幅回路３２として機能する回路３２ｃは、スルーホール５１ｃを介して混合回路１４として機能する回路１４ｃと接続されている。
【００４８】
すなわち、図の太線で示すアナログ信号ライン１７ｃとデジタル信号ライン１８ｃとは、混合回路１４として機能する回路１４ｃからスルーホール５１ｃまでの間を除き、図１（ｂ）に示すＧＮＤ層であるＢ層５Ｂによって輻射が遮蔽されるので、受信していない側のラインから受信している側のラインへの輻射を更に軽減することができるのである。つまり、混合回路１４として機能する回路１４ｃの出力側とスルーホール５１ｃとの距離を短くすることによって、ＧＮＤ層であるＢ層５Ｂによっても輻射が遮蔽されないラインの範囲を可及的に短くすることができるので、受信していない側のラインから受信している側のラインへの輻射を更に軽減することができるのである。
【００４９】
また、アナログ・デジタル共用チューナ１ｃでは、アナログＩＦ出力端子１７１ｂ及びＴＳ信号出力端子１８１ｃによって、アナログ放送に対応するＩＦ信号、及び、デジタル放送に対応するＴＳ信号を出力することができる。
【００５０】
＜第４実施形態＞
図５は、本発明の第４実施形態に係るアナログ・デジタル共用チューナ１ｄの一例を示す構成図（基板の上面図及び下面図）である。（ａ）は、図１（ｂ）に示す基板５のＡ層５Ａに対応するアナログ・デジタル共用チューナ１ｄの上面図であり、（ｂ）は、図１（ｂ）に示す基板５のＤ層５Ｄに対応するアナログ・デジタル共用チューナ１ｄの下面図である。
【００５１】
アナログ・デジタル共用チューナ１ｄは、（ａ）に示すように、基板５のＡ層５Ａに、図１に示すＡＴＴ１２、ＲＦ利得制御回路１３、混合回路１４、局部発振回路１５、及び、ＩＦ利得制御回路１６としてそれぞれ機能する回路１３ｄ〜１６ｄが形成されると共に、図１に示すバンドパスフィルタ２１、２２、２３、２４、及び、増幅回路３１、３３としてそれぞれ機能する回路２１ｄ〜２３ｄ及び回路３１ｄ、３３ｄが形成され、更に、デジタル復調回路４２ｄが形成され、ＴＳ出力端子１８１ｄが形成されたものである。デジタル復調回路４２ｄは、混合回路１４として機能する回路１４ｄから出力されるデジタル放送に対応するＩＦ信号を復調し、ＴＳ（Ｔｒａｎｓｐｏｒｔ  Ｓｔｒｅａｍ）信号を出力するものである。ビデオ出力端子１８１ｄは、デジタル復調回路４２ｄによって出力されるＴＳ信号を出力するものである。
【００５２】
また、アナログ・デジタル共用チューナ１ａは、（ｂ）に示すように、基板５のＤ層５Ｄに、図１に示す増幅回路３２として機能する回路３２ｄが形成され、更に、アナログ復調回路４１ｄが形成され、ビデオ（ＶＩＤＥＯ）出力端子１７１ｄが形成されたものである。アナログ復調回路４１ｄは、混合回路１４として機能する回路１４ｄから出力されるアナログ放送に対応するＩＦ信号を復調し、画像信号及び音声信号を出力するものである。ビデオ出力端子１７１ｄは、アナログ復調回路４１ｄによって出力される画像信号及び音声信号を出力するものである。また、混合回路１４として機能する回路１４ｄの出力側（ここでは、下側）には、スルーホール５１ｄが形成されており、増幅回路３２として機能する回路３２ｄは、スルーホール５１ｄを介して混合回路１４として機能する回路１４ｄと接続されている。
【００５３】
すなわち、図の太線で示すアナログ信号ライン１７ｄとデジタル信号ライン１８ｄとは、混合回路１４として機能する回路１４ｄからスルーホール５１ｄまでの間を除き、図１（ｂ）に示すＧＮＤ層であるＢ層５Ｂによって輻射が遮蔽されるので、受信していない側のラインから受信している側のラインへの輻射を更に軽減することができるのである。つまり、混合回路１４として機能する回路１４ｄの出力側とスルーホール５１ｄとの距離を短くすることによって、ＧＮＤ層であるＢ層５Ｂによっても輻射が遮蔽されないラインの範囲を可及的に短くすることができるので、受信していない側のラインから受信している側のラインへの輻射を更に軽減することができるのである。
【００５４】
また、アナログ・デジタル共用チューナ１ｄでは、ビデオ出力端子１７１ｄ及びＴＳ信号出力端子１８１ｄによって、アナログ放送に対応する画像信号、音声信号、及び、デジタル放送に対応するＴＳ信号を出力することができる。
【００５５】
＜第５実施形態＞
図６は、本発明の第５実施形態に係るアナログ・デジタル共用チューナ１ｅの一例を示す構成図（基板の上面図及び下面図）である。（ａ）は、図１（ｂ）に示す基板５のＡ層５Ａに対応するアナログ・デジタル共用チューナ１ｅの上面図であり、（ｂ）は、図１（ｂ）に示す基板５のＤ層５Ｄに対応するアナログ・デジタル共用チューナ１ｅの下面図である。
【００５６】
アナログ・デジタル共用チューナ１ｅは、（ａ）に示すように、基板５のＡ層５Ａに、図１に示すＡＴＴ１２、ＲＦ利得制御回路１３、混合回路１４、局部発振回路１５、及び、ＩＦ利得制御回路１６としてそれぞれ機能する回路１３ｅ〜１６ｅが形成されると共に、図１に示すバンドパスフィルタ２１、２２、２３、２４、及び、増幅回路３１、３３としてそれぞれ機能する回路２１ｅ〜２３ｅ及び回路３１ｄ、３３ｅが形成され、更に、デジタル復調回路４２ｅ及びＭＰＥＧデコーダ４３ｅが形成され、ビデオ（ＶＩＤＥＯ）出力端子１８１ｅが形成されたものである。デジタル復調回路４２ｅは、混合回路１４として機能する回路１４ｅから出力されるデジタル放送に対応するＩＦ信号を復調し、ＴＳ（Ｔｒａｎｓｐｏｒｔ  Ｓｔｒｅａｍ）信号を出力するものである。ＭＰＥＧ（Ｍｏｖｉｎｇ  Ｐｉｃｔｕｒｅ  Ｅｘｐｅｒｔｓ  Ｇｒｏｕｐ）デコーダ４３ｅは、デジタル復調回路４２ｅから出力されるＴＳ信号に対してＭＰＥＧ方式のデコード処理を施し、画像信号及び音声信号を出力するものである。ビデオ出力端子１８１ｅは、ＭＰＥＧデコーダ４３ｅによって出力される画像信号及び音声信号を出力するものである。
【００５７】
また、アナログ・デジタル共用チューナ１ｅは、（ｂ）に示すように、基板５のＤ層５Ｄに、図１に示す増幅回路３２として機能する回路３２ｅが形成され、アナログＩＦ出力端子１７１ｅが形成されたものである。更に、混合回路１４として機能する回路１４ｅの出力側（ここでは、下側）には、スルーホール５１ｅが形成されており、増幅回路３２として機能する回路３２ｅは、スルーホール５１ｅを介して混合回路１４として機能する回路１４ｅと接続されている。
【００５８】
すなわち、図の太線で示すアナログ信号ライン１７ｅとデジタル信号ライン１８ｅとは、混合回路１４として機能する回路１４ｅからスルーホール５１ｅまでの間を除き、図１（ｂ）に示すＧＮＤ層であるＢ層５Ｂによって輻射が遮蔽されるので、受信していない側のラインから受信している側のラインへの輻射を更に軽減することができるのである。つまり、混合回路１４として機能する回路１４ｅの出力側とスルーホール５１ｅとの距離を短くすることによって、ＧＮＤ層であるＢ層５Ｂによっても輻射が遮蔽されないラインの範囲を可及的に短くすることができるので、受信していない側のラインから受信している側のラインへの輻射を更に軽減することができるのである。
【００５９】
また、アナログ・デジタル共用チューナ１ｅでは、アナログＩＦ出力端子１７１ｅ及びビデオ出力端子１８１ｅによって、アナログ放送に対応するＩＦ信号、及び、デジタル放送に対応する画像信号、音声信号を出力することができる。
【００６０】
なお、本発明は、以下の形態にも適用可能である。
（Ａ）第１〜第５実施形態では、アナログ・デジタル共用チューナ１ａ〜１ｅが４層基板５に形成されている場合について説明したが、アナログ・デジタル共用チューナ１ａ〜１ｅが、ＧＮＤ層を有する３層以上の多層基板に形成されている形態であればよい。例えば、アナログ・デジタル共用チューナ１ａ〜１ｅが、３層基板に形成される場合には、中間の２層目がＧＮＤ層である必要がある。
【００６１】
（Ｂ）第１〜第５実施形態では、アナログ・デジタル共用チューナ１ａ〜１ｅを構成するＡＴＴ１２、ＲＦ利得制御回路１３、混合回路１４、局部発振回路１５等が、基板５のデジタル信号ライン１８が形成されるＡ層５Ａに形成される場合について説明したが、アナログ・デジタル共用チューナ１ａ〜１ｅを構成するＡＴＴ１２、ＲＦ利得制御回路１３、混合回路１４、局部発振回路１５等が、基板５のアナログ信号ライン１７が形成されるＤ層５Ｄに形成される形態でもよい。
【００６２】
（Ｃ）第１〜第５実施形態では、アナログ・デジタル共用チューナ１ａ〜１ｅのデジタル信号ライン１８及びアナログ信号ライン１７が基板５のＡ層５Ａ及びＤ層５Ｄにそれぞれ形成される場合について説明したが、アナログ・デジタル共用チューナ１ａ〜１ｅのデジタル信号ライン１８及びアナログ信号ライン１７がＡ層５Ａ及びＣ層５Ｃにそれぞれ形成される形態でもよい。また、逆に、アナログ・デジタル共用チューナ１ａ〜１ｅのデジタル信号ライン１８及びアナログ信号ライン１７がＣ層５Ｃ及びＡ層５Ａにそれぞれ形成される形態でもよい。
【産業上の利用可能性】
【００６３】
本発明のアナログ・デジタル共用チューナは、受信している側のラインへの輻射を軽減して同一チャンネル妨害を抑制することができる。
【図面の簡単な説明】
【００６４】
【図１】は、アナログ・デジタル共用チューナの回路構成の一例を示す回路図、及び、本発明に係るアナログ・デジタル共用チューナが形成される基板の構成の一例を示す断面図である。
【図２】は、本発明の第１実施形態に係るアナログ・デジタル共用チューナの一例を示す構成図（基板の上面図及び下面図）である。
【図３】は、本発明の第２実施形態に係るアナログ・デジタル共用チューナの一例を示す構成図（基板の上面図及び下面図）である。
【図４】は、本発明の第３実施形態に係るアナログ・デジタル共用チューナ１ｃの一例を示す構成図（基板の上面図及び下面図）である。
【図５】は、本発明の第４実施形態に係るアナログ・デジタル共用チューナ１ｄの一例を示す構成図（基板の上面図及び下面図）である。
【図６】は、本発明の第５実施形態に係るアナログ・デジタル共用チューナ１ｅの一例を示す構成図（基板の上面図及び下面図）である。
【図７】は、従来のアナログ・デジタル共用チューナの構成を示す構成図（基板の上面図）である。
【符号の説明】
【００６５】
１、１ａ、１ｂ、１ｃ、１ｄ、１ｅ    アナログ・デジタル共用チューナ
１１    ＲＦ信号入力端子
１２    アッテネータ（ＡＴＴ）
１３    ＲＦ利得制御回路
１４    混合回路
１５    局部発振回路
１６    利得制御回路
１７    アナログ信号ライン
１７１    アナログＩＦ出力端子
１８    アナログ信号ライン
１８１    デジタルＩＦ出力端子
２１〜２４    バンドパスフィルタ
３１〜３３    増幅回路
５    多層基板
５１    スルーホール
【図１】
2008244994.tif 000003
【図２】
2008244994.tif 000004
【図３】
2008244994.tif 000005
【図４】
2008244994.tif 000006
【図５】
2008244994.tif 000007
【図６】
2008244994.tif 000008
【図７】
2008244994.tif 000009